(57)【要約】【課題】ハーネスに対する不正を未然に回避させ、遊技機に対する不正防止を図る。【解決手段】主制御基板３１０、統括制御基板３２０、払出制御基板３３０等を、それぞれ基板ケース５１０等で覆うように収納し、特に、主基板ケース５１０には、統括制御基板３２０、払出制御基板３３０等に対してハーネスＨＮ１〜ＨＮ４を接続するためのソケットを背面側に臨ませるソケット開口５１１〜５１４が形成されると共に、これらのソケット開口５１１〜５１５から統括制御基板３２０、払出制御基板３３０等に対してハーネスＨＮ１〜ＨＮ４を配線するためのハーネスダクトＨＤ１１〜ＨＤ１４が、背面側に突出する様に形成されている。このハーネスダクトＨＤ１１〜ＨＤ１４は凹溝を塞ぐ封止カバー６２０を嵌め殺しとなる様に装着する。【選択図】  図７
2014176417.tif 000002
【特許請求の範囲】
【請求項１】
遊技機に備えられた機器同士を接続する配線の取付構造として、以下の構成を採用したことを特徴とする遊技機。
（１）遊技機全体を制御する主制御基板を収納したケース体の外面に配線敷設経路を形成する様にハーネスダクトを備えさせたこと。
（２）前記ハーネスダクトは、主制御基板側のソケットの近傍から当該ソケットに接続される相手方の機器への配線敷設経路に沿って配線を収納する外向き開口を有する凹溝形成部材と、前記凹溝形成部材の前記外向き開口を塞ぐ様に嵌め殺し状態に固着される封止カバーとによって構成されていること。
【請求項２】
さらに、以下の構成をも備えていることを特徴とする請求項１に記載の遊技機。
（３Ａ）前記凹溝形成部材が、前記ケース体と一体成形された二条の外向きリブによって構成され、該リブと前記封止カバーとが一旦嵌合させると嵌め殺し状態となる嵌合部を備えていること。
【請求項３】
さらに、以下の構成をも備えていることを特徴とする請求項１に記載の遊技機。
（３Ｂ）前記凹溝形成部材が、前記ケース体に対して嵌め殺し状態に固着される溝型ベース部材によって構成され、該溝型ベース部材と前記封止カバーとが一旦嵌合させると嵌め殺し状態となる嵌合部を備えていること。
【請求項４】
さらに、以下の構成をも備えていることを特徴とする請求項１〜３のいずれかに記載の遊技機。
（４）前記封止カバーは、前記凹溝形成部材の配線敷設方向へのスライドを阻止するスライド阻止部を備えていること。
【請求項５】
さらに、以下の構成をも備えていることを特徴とする請求項１〜４のいずれかに記載の遊技機。
（５）前記ハーネスダクトの凹溝形成部材の溝幅は、当該ハーネスダクト内に収納される配線の端部に取り付けられるコネクタの外形寸法よりも小さい引き抜き防止構造となっていること。
【請求項６】
さらに、以下の構成をも備えていることを特徴とする請求項１〜５のいずれかに記載の遊技機。
（６）前記封止カバーは、前記主制御基板側のソケットをも覆い隠すことのできるソケットカバー部を備えていること。
【請求項７】
さらに、以下の構成をも備えていることを特徴とする請求項１〜６のいずれかに記載の遊技機。
（７）前記ハーネスダクト内に収納される配線の端部に取り付けられるコネクタは、主制御基板側のソケットとの接続部位をカバー体で覆われると共に、当該カバー体は、下カバーと上カバーとから構成され、前記下カバーと前記上カバーは、嵌め殺し状態に嵌合する嵌め殺し構造とされると共に、前記カバー体の上面と先端面との間にラビリンス構造を形成する様に、前記カバーの先端部には外向きの突片が備えられていること。
【請求項８】
さらに、以下の構成をも備えていることを特徴とする請求項１〜６のいずれかに記載の遊技機。
（８）前記封止カバーは、透明合成樹脂製であること。
【発明の詳細な説明】
【技術分野】
【０００１】
本発明は、遊技機における機器同士の配線の取付構造に係り、特に、主制御基板との配線の取り付け構造に関する。
【背景技術】
【０００２】
遊技機には、主制御基板、副制御基板、駆動装置、センサ、ＬＥＤ等の各種電子部品が備えられ、これら電子部品同士がハーネス及びコネクタを介して接続されている。こうしたハーネスをフリーの状態としておくことは、組み付け、メンテナンスに際して邪魔となる。
【０００３】
そこで、「遊技盤に配線樋を取り付け、遊技盤配線を配線樋に装填し、配線樋に形成した引出線口からリード線を引き出し、該所をインシュロック帯で配線樋に固定する」という遊技盤製造工程の簡略化技術に関する提案がある（特許文献１）。
【先行技術文献】
【特許文献】
【０００４】
【特許文献１】特開２００２−６６０７５（要約、図４，図６）
【発明の概要】
【発明が解決しようとする課題】
【０００５】
ところで、遊技機に対する不正の一つとして、ハーネスを正規品から不正品に取り替え、不正基板を敷設し、不正に賞球を払い出すといったものがある。
【０００６】
特許文献１に示される様なインシュロック帯を切断してハーネスを取り替え、再びインシュロック帯で配線樋に固定してしまえば、不正が可能であると共に、不正が行われたことが分からないという問題がある。
【０００７】
本発明は、かかる問題点に鑑みて案出されたものであり、遊技機に敷設されるハーネスを封止状態とすることにより、この封止状態を解除しなければハーネスを取り外し、或いは取り替えできないようにし、ハーネスに対して不正が行われた際には、その痕跡が残るようにすることによって、ハーネスに対する不正を未然に回避させ、ひいては遊技機に対する不正防止が図れるようにすることを目的とする。
【課題を解決するための手段】
【０００８】
上記目的を達成するためになされた本発明の遊技機は、遊技機に備えられた機器同士を接続する配線の取付構造として、以下の構成を採用したことを特徴とする。
（１）遊技機全体を制御する主制御基板を収納したケース体の外面に配線敷設経路を形成する様にハーネスダクトを備えさせたこと。
（２）前記ハーネスダクトは、主制御基板側のソケットの近傍から当該ソケットに接続される相手方の機器への配線敷設経路に沿って配線を収納する外向き開口を有する凹溝形成部材と、前記凹溝形成部材の前記外向き開口を塞ぐ様に嵌め殺し状態に固着される封止カバーとによって構成されていること。
【０００９】
本発明の遊技機によれば、主制御基板への配線をハーネスダクトを介して敷設し、ハーネスダクトは封止カバーを嵌め殺しとしたので、破壊しない限りハーネスを不正なものに取り替えることができない。言い換えれば、不正なハーネスへの取り替えが行われたか否かを封止カバーに対する破壊の痕跡から認識することができる。また、主制御基板を収納したケース体の外面に配線敷設経路を形成する様にハーネスダクトを備えさせたので、ハーネスを敷設する際の目印ともなり結線作業が容易になるというメリットも発揮される。
【００１０】
ここで、より具体的には、例えば、以下の様に構成することができる。
（３Ａ）前記凹溝形成部材が、前記ケース体と一体成形された二条の外向きリブによって構成され、該リブと前記封止カバーとが一旦嵌合させると嵌め殺し状態となる嵌合部を備えていること。
【００１１】
具体的構成（３Ａ）を採用する場合、ケース体に対して凹溝形成部材が一体成形されているので、破壊等の不正行為を行い難いというメリットがある。
【００１２】
あるいは、以下の様に構成することもできる。
（３Ｂ）前記凹溝形成部材が、前記ケース体に対して嵌め殺し状態に固着される溝型ベース部材によって構成され、該溝型ベース部材と前記封止カバーとが一旦嵌合させると嵌め殺し状態となる嵌合部を備えていること。
【００１３】
具体的構成（３Ｂ）を採用する場合、主制御基板のケース体から接続相手の機器のケース体に至る様なハーネスダクトを構成する場合にメリットがある。即ち、それぞれ別体に構成されるケース体の両方にまたがる様な凹溝形成部材を別体で製造し、これをケース体に対して嵌め殺しとなる様に後から固着するといったことが可能になるからである。
【００１４】
また、これら本発明の遊技機は、さらに、以下の構成をも備えるものとするとよい。
（４）前記封止カバーは、前記凹溝形成部材の配線敷設方向へのスライドを阻止するスライド阻止部を備えていること。
【００１５】
かかる構成をも採用することにより、ハーネスケースが直線で構成されていたとしても、封止カバーをスライドさせて抜き取ることができない様にすることができるからである。
【００１６】
加えて、これら本発明の遊技機は、さらに、以下の構成をも備えるものとするとよい。
（５）前記ハーネスダクトの凹溝形成部材の溝幅は、当該ハーネスダクト内に収納される配線の端部に取り付けられるコネクタの外形寸法よりも小さい引き抜き防止構造となっていること。
【００１７】
かかる構成をも採用することにより、コネクタを外してハーネスを抜き取ってダクトへ差し込む様にして取り替えるといった不正も防止できるからである。
【００１８】
また、これら本発明の遊技機は、さらに、以下の構成をも備えるものとするとよい。
（６）前記封止カバーは、前記主制御基板側のソケットをも覆い隠すことのできるソケットカバー部を備えていること。
【００１９】
封止カバーがソケットカバー部を備えることにより、封止カバーを凹溝形成部材に嵌め殺しすることにより、ハーネスダクト内の配線を取り換えることができなくなると同時にソケットから配線を取り外すこともできなくなる。これにより、ソケットから正規の配線を外して他の配線を接続することもできなくなる。
【００２０】
また、これれあ本発明の遊技機は、さらに、以下の構成をも備えるものとするとよい。
（７）前記ハーネスダクト内に収納される配線の端部に取り付けられるコネクタは、主制御基板側のソケットとの接続部位をカバー体で覆われると共に、当該カバー体は、下カバーと上カバーとから構成され、前記下カバーと前記上カバーは、嵌め殺し状態に嵌合する嵌め殺し構造とされると共に、前記カバー体の上面と先端面との間にラビリンス構造を形成する様に、前記カバーの先端部には外向きの突片が備えられていること。
【００２１】
かかる構成をも採用することにより、主制御基板への接続部位に対して針金等を挿入して接続を解除するなどの不正行為をも防止できるからである。
【００２２】
さらに、これら本発明の遊技機は、さらに、以下の構成をも備えるものとするとよい。
（８）前記封止カバーは、透明合成樹脂製であること。
【００２３】
ハーネスダクト内の状態を容易に目視確認することができるからである。これにより、正規のハーネスであるか否かを確認できるだけでなく、ハーネスダクトを備えたが故に何らかの異物等を隠されたりしていないかといったことも容易に目視確認することができるからである。
【発明の効果】
【００２４】
本発明によれば、ハーネスに対する不正を未然に回避させ、ひいては遊技機に対する不正防止を図ることができる。
【図面の簡単な説明】
【００２５】
【図１】実施例１のパチンコ機を示し、（Ａ）は遊技盤を取り外した状態の斜視図、（Ｂ）は正面図、（Ｃ）は分解斜視図である。
【図２】実施例１のパチンコ機の制御装置の構成を示すブロック図である。
【図３】実施例１のパチンコ機における賞球払出制御処理を説明する図であって、（Ａ）は制御系統のブロック図、（Ｂ）は演算処理のフローチャートである。
【図４】実施例１のパチンコ機における乱数抽選を説明する図であって、（Ａ）は制御系統のブロック図、（Ｂ）は演算処理のフローチャートである。
【図５】実施例１のパチンコ機における保留消化処理を説明する図であって、（Ａ）は制御系統のブロック図、（Ｂ）は演算処理のフローチャートである。
【図６】実施例１のパチンコ機における演出制御を説明する図であって、（Ａ）は制御系統のブロック図、（Ｂ）は演算処理のフローチャートである。
【図７】実施例１のパチンコ機の背面図である。
【図８】実施例１のパチンコ機のハーネスダクトを示し、（Ａ）は封止カバー装着前の横断面図、（Ｂ）は封止カバー装着後の横断面図、（Ｃ）は封止カバー装着前の縦断面図、（Ｄ）は封止カバー装着後の縦断面図、（Ｅ）は封止カバー装着前の平面図、（Ｂ）は封止カバー装着後の平面図である。
【図９】実施例２のパチンコ機を示し、（Ａ）は背面図、（Ｂ）は要部側面図である。
【図１０】実施例２のパチンコ機のハーネスダクトを示し、（Ａ）はベース体装着前の横断面図、（Ｂ）はベース体装着後封止カバー装着前の横断面図、（Ｃ）は封止カバー装着後の横断面図である。
【図１１】実施例３のパチンコ機のハーネスダクトを示し、（Ａ）はカバー体の平面図、（Ｂ）はカバー体のａ−ａ端面図、（Ｃ）はカバー体を装着したハーネスの平面図、（Ｄ）は封止カバー装着後の平面面図、（Ｅ）は封止カバー装着後の縦断面図である。
【図１２】実施例４のパチンコ機のハーネスダクトを示す平面図である。
【図１３】実施例５のパチンコ機のハーネスダクトを示し、（Ａ）は平面図、（Ｂ）は縦断面図である。
【発明を実施するための形態】
【００２６】
以下、本発明の実施形態として、具体的な実施例を図面に基づき詳細に説明する。実施例において「左」又は「右」とは、パチンコ機の表側（前面側）から見たときの「左」又は「右」を示すものとする。
【実施例１】
【００２７】
［１  遊技機全体の概要］
実施例１のパチンコ遊技機Ｐは、図１に示す様に、外枠Ａ、中枠Ｂ、遊技盤Ｃ、前枠Ｄ、上の球受け皿Ｅ、下の球受け皿Ｆ及び発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤Ｃは、中枠Ｂの開口部に取り付けられる。前枠Ｄは遊技盤Ｃの透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。発射装置Ｇは、上の球受け皿Ｅから発射レールに送り込まれた遊技球をハンドル操作に対応する強さで打ち出すための装置であって、中枠Ｂの右下部に装備される。
【００２８】
中枠Ｂは、上縁をなす上枠部材Ｂ１と、下縁をなし発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤Ｃを設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。本実施例では、中枠Ｂが組立体となっている場合を説明したが、中枠Ｂは一体品でも構わない。
【００２９】
また、上の玉受け皿Ｅの右側には、貸し玉ボタンＱ、カード取り出しボタンＲ、演出操作ボタンＳも備えられている。実施例のパチンコ遊技機Ｐが設置される遊技島には、遊技機毎にカードユニットが設置されていて、このカードユニットに挿入されたカード式記憶媒体に対して、入金度数を記憶するシステムが採用されている。貸し玉ボタンＱは、このカード式記憶媒体に残度数がある場合に押下することで、例えば、２度数、５度数等の単位度数分の貸し玉指令を行うための押しボタンである。カード取り出しボタンＲは、遊技を終了したり、離席する際にカードユニットからカード式記憶媒体を取り出すための指令を入力するための押しボタンである。演出操作ボタンＳは、遊技中の所定のタイミングでこれを押下することによってメッセージが表示されるなどの演出効果を高めるための押しボタンである。
【００３０】
［２  制御装置の構成］
図２に示す様に、ＣＰＵ，ＲＯＭ，ＲＡＭ，クロック等を備えた主制御基板３１０に対して、遊技盤Ｃに備えられた各入賞口への遊技球の入賞を検知する入賞検知センサＳＥ１，ＳＥ２，…、裏ユニットの球排出通路へと遊技球が排出されたことを検知する排出球検知センサＳＥ１１，ＳＥ１２，…からの検知信号が入力される様になっている。また、主制御基板３１０からは、統括制御基板３２０、払出制御基板３３０、及び発射制御基板３４０へとコマンドが出力される様になっている。インタフェース基板３５０は、払出制御基板３３０との間でコマンドのやり取りを行う構成となっている。なお、電源基板３６０は、電源中継基板３８０を介して主制御基板３１０への電源供給を行う構成となっている。そして、統括制御基板３２０は、演出表示制御基板３７０へとコマンドを出力する構成となっている。なお、貸し玉ボタンＱ、カード取り出しボタンＲからの押下信号は、球貸し操作基板３９０へと入力され、この球貸し操作基板３９０からインタフェース基板３５０を経由して払出制御基板３３０へと入力される構成となっている。インタフェース基板３５０はまた、カードユニット５００との間でもコマンドをやり取りする構成となっている。また、演出操作ボタンＳからの押下信号は、統括制御基板３２０へと入力される構成となっている。
【００３１】
統括制御基板３２０は、主制御基板３１０からの演出指令信号に基づいて、発光装置ＬＥＤ、スピーカＳＰ、モータＭＴ、ソレノイドＳＯＬに対して制御信号を出力して発光演出、音声演出、可動体演出を実行すると共に、演出表示制御基板３７０へと演出表示のためのコマンドを出力している。演出表示制御基板３７０は、統括制御基板３２０からの演出表示のための指令信号に基づいて、液晶表示装置ＬＣＤに対して制御信号を出力し、表示演出を実行する。
【００３２】
払出制御基板３３０は、主制御基板３１０からの払出コマンドに従って、賞球の払出を実行する。賞球払出個数は、どの入賞口に入賞したかによって予め定められている。また、主制御基板３１０は、払出制御基板３３０の外部出力端子を介してホールコンピュータ４００へとエラー信号を出力する機能も備えている。
【００３３】
発射制御基板３４０は、主制御基板３１０からの制御コマンドに従って、発射装置Ｇによる打球の発射・停止を実行する。打球の停止は、例えば、何らかのエラーが発生したときなどに指令される。
【００３４】
インタフェース基板３５０は、球貸し操作基板３９０からの貸し玉指令やカード取り出し指令の中継基板として機能する。貸し玉指令は、インタフェース基板３５０を中継して払出制御基板３３０とカードユニット５００へと出力される。貸し玉指令が入力された払出制御基板３３０は、ＢＣユニット３３５へと玉貸し信号を出力し、ＢＣユニット３３５が作動して上皿Ｅへと玉貸しが実行される。また、貸し玉指令が入力されたカードユニット５００は、貸し玉指令に対応する残度数管理を行う。具体的には、カード式記憶媒体の残度数の減算処理を行う。そして、カードユニット５００は、減算処理した後の残度数データをインタフェース基板３５０へと出力する。この残度数データは、貸し玉ボタンＱの近傍に設けられた残度数表示の更新に用いられる。また、カード取り出し指令は、インタフェース基板３５０を中継してカードユニット５００へと出力する。カードユニット５００は、カード取り出し指令が入力されるとカード取り出し動作を実行する。
【００３５】
［３  制御処理（賞球払出）］
主制御基板３１０は、図３（Ａ）に示す制御系統により、入賞検知センサＳＥ１〜ＳＥ７からの入賞検知信号が入力されると、各センサに対応する賞球払出個数に対応する賞球払出コマンドを払出制御基板３３０に対して出力する賞球払出処理を実行している。これを受けて、払出制御基板３３０は、遊技球の入賞口に対応して予め定められた個数の賞球の払出動作を実行する。
【００３６】
この賞球払出制御は、図３（Ｂ）に示す様な演算処理ルーチンとして実行され、入賞検知センサＳＥ１〜ＳＥ７からの検知信号が入力されたか否かを判断し（Ｓ１０）、「ＹＥＳ」と判定されたら、払出制御基板３３０に対してセンサを特定した賞球払出信号を出力すると共に（Ｓ２０）、抽選処理ルーチンを起動する（Ｓ３０）。
【００３７】
［４  制御処理（乱数抽選）］
また、主制御基板３１０は、図４（Ａ）に示す制御系統により、始動入賞口の入賞検知センサＳＥ１，ＳＥ２からの入賞検知信号が入力されると、乱数抽選を実行し、その結果を保留球記憶情報としてＲＡＭに記憶する乱数抽選処理を実行している。
【００３８】
ここで、本実施例の遊技機は、センター役物の下方に備えられた始動入賞口への入賞を契機として乱数を取得し、「当たり」か「はずれ」かを抽選する。「当たり」には「２Ｒ通常」「２Ｒ確変」「１５Ｒ通常」「１５Ｒ確変」など、単に当たりというだけでなく、遊技者に対する有利さの異なる複数種類の当たり種別の中のいずれに該当するかを、別途行われる「当たり種別判定」として実行する。なお、「２Ｒ」「１５Ｒ」とは、特別遊技のラウンド数を意味し、「確変」とは、特別遊技終了後に抽選による大当たりの確率が高い高確率（「確率変動」ともいう）の遊技状態となる場合を意味する。「通常」は、特別遊技終了後に「確変」にならない場合を意味する。また、「２Ｒ」の場合、短時間だけ特別入賞口を開閉する動作となっていて実質的な出玉は期待できない遊技状態となっている。
【００３９】
「当たり／はずれ」の抽選に続いて、変動パターンが乱数抽選される。「当たり」の場合は、上述の様に、遊技者に対する有利さの異なる複数種類の当たり種別があることから、これら当たり種別のいずれであるかにより、当選確率を異ならせた変動パターンが、例えば、Ａ〜Ｃといった具合に複数用意されている。この変動パターンは、変動時間の長さとなっている。具体的には変動パターンごとに変動時間が異なっている。ここまでは主制御基板３１０の処理として実行される。こうして主制御基板３１０の決定した変動パターンに基づいて、統括制御基板３２０側で変動パターンに対応する演出パターンが抽選される。例えば、変動パターンがＡ〜Ｃであるとき、演出パターンは、変動パターンＡに対して複数用意された演出パターンＡ１〜Ａｎの中のいずれかが、変動パターンＢに対して複数用意された演出パターンＢ１〜Ｂｎの中のいずれかが、変動パターンＣに対して複数用意された演出パターンＣ１〜Ｃｎの中のいずれかが、統括制御基板３２０側で決定されるといった処理が実行されることになる。
【００４０】
また、「はずれ」の場合は、リーチはずれにするか否かを抽選し、リーチはずれとする場合は、さらに、「はずれリーチ」の「変動パターン」が乱数抽選によって決定される。なお、はずれリーチの変動パターンとしては、「リーチはずれ」「スーパーリーチはずれ」などがあり、「リーチはずれ」の抽選結果とならなかったときは「ノーマルはずれ」として定まっている変動パターンに基づくはずれ演出となる。「変動パターン」とは、変動時間のことであり、スーパーリーチの場合には複数の変動パターンの中の一つが抽選されることになる。「ノーマルはずれ」「リーチはずれ」「スーパーリーチはずれ」のいずれの変動パターンになるかは、当選確率が「ノーマルはずれ」＞「リーチはずれ」＞「スーパーリーチはずれ」となる様に乱数値との対応が予め定められている。なお、「リーチはずれ」「スーパーリーチはずれ」の変動パターンは、当たりの場合と逆の傾向となる様な当選確率で変動パターンと乱数値との関係が予め定められている。
【００４１】
上述の様に、「スーパーリーチ」にあっては、その変動パターンが複数（例えばＡ〜Ｃ）用意されていて、例えば、「当たり」のときは「スーパーリーチＡ」＞「スーパーリーチＢ」＞「スーパーリーチＣ」という当選確率でいずれのパターンに発展するかが設定され、逆に、「はずれ」のときは「スーパーリーチＣ」＞「スーパーリーチＢ」＞「スーパーリーチＡ」という当選確率でいずれのパターンに発展するかが設定されることにより、遊技者は、スーパーリーチ演出に発展したとき、「パターンＡ」の変動時間となる演出ならば「当たり」となることをより大きく期待し、逆に「パターンＣ」の変動時間となる演出ならば「当たり」の可能性は小さいと期待度が低い感覚を抱く。この様に、スーパーリーチの際に抽選された変動パターンに基づいて実行される演出パターンにより、遊技者に与える期待感を異ならせ、この結果、「パターンＡ」は信頼度が高く、「パターンＣ」は信頼度が低いといった予測を遊技者に与えることが可能となっている。なお、「ノーマル演出」は「当たり」での当選確率を極めて低く設定することによって「ノーマル当たり」にプレミアム感を持たせることにもなる。
【００４２】
本実施例における乱数抽選処理は、図４（Ｂ）に示す様な演算処理ルーチンとして実行され、今回検知信号を入力したセンサが始動入賞口センサＳＥ１，ＳＥ２のものか否かを判定し（Ｓ１１０）、「ＮＯ」であれば直ちに処理を終了する。一方、「ＹＥＳ」と判定された場合は、保留球個数Ｎが４未満か否かを判定する（Ｓ１２０）。Ｎ＜４ならば（Ｓ１２０：ＹＥＳ）、保留球個数Ｎをインクリメントし（Ｓ１３０）、「ＮＯ」の場合は乱数抽選に進むことなく処理を終了する。
【００４３】
乱数抽選に進むと、まず、「当たり／はずれ」を抽選するための乱数を取得する「当たり／はずれ抽選」を実行する（Ｓ１４０）。そして、「当たり」の場合は（Ｓ１５０：ＹＥＳ）、「当たり種別」を決定するための乱数を取得し（Ｓ１６０）、「当たり種別」に対応する「変動パターン」の抽選までが実行される（Ｓ１６５）。「はずれ」の場合は（Ｓ１５０：ＮＯ）、「リーチ演出の有無」を決定するための乱数を取得し（Ｓ１７０）、「リーチ演出あり」の場合は、さらに「変動パターン」の抽選までが実行される（Ｓ１７５）。そして、Ｓ１４０，Ｓ１６０，Ｓ１７０で生成した乱数値をＲＡＭに記憶する（Ｓ１８０）。本実施例の場合、「当たり／はずれ」の乱数が「当たり」の場合に続いて「当たり種別」の乱数を取得することで、上述した「２Ｒ通常」「２Ｒ確変」「１５Ｒ通常」「１５Ｒ確変」のいずれに該当するかが特定されることとなる。なお、「ノーマルはずれ」について複数の変動パターンが設定される場合には、Ｓ１７０で「ＮＯ」の判定となった後に、「ノーマルはずれの変動パターン抽選」が追加されていても構わない。
【００４４】
［５  制御処理（保留消化）］
次に、保留消化処理について説明する。主制御基板３１０は、図５（Ａ）に示す制御系統により、ＲＡＭ内に記憶された保留球記憶情報から乱数値を読み出し、当選条件と照合して演出指令コマンドをサブ制御基板３２０に対して指令する保留消化処理を実行する。
【００４５】
保留消化処理は、図５（Ｂ）のフローチャートに示す様に、特別遊技を実行していない状態のときに（Ｓ２１０：ＮＯ）、ＲＡＭ内に保留記憶情報があるか否かを判定し（Ｓ２２０）、保留記憶情報があるときは当該記憶内容を一つ読み出し（Ｓ２３０）、乱数値１，乱数値２に基づいて演出指令コマンドを決定する（Ｓ２４０）。そして、この演出指令コマンドを統括制御基板３２０に対して出力すると共に（Ｓ２５０）、保留記憶情報の更新を行う（Ｓ２６０）。
【００４６】
［６  制御処理（演出制御）］
統括制御基板３２０は、図６（Ａ）に示す制御系統により、主制御基板３１０からの変動パターン指令コマンドに対応して統括制御基板側で抽選した演出パターンに従って、発光装置ＬＥＤ、スピーカＳＰ、モータＭＴ、ソレノイドＳＯＬに対して制御信号を出力し、発光演出、音声演出、可動体演出等を実行すると共に、演出表示制御基板３７０を介して液晶表示装置ＬＣＤによる表示演出を実行させる。なお、主制御基板３１０からエラー報知が指令されたときは、エラー報知処理を実行する。
【００４７】
この演出制御は、図６（Ｂ）示す様な演算処理ルーチンとして実行され、主制御基板３１０からの新たなコマンドが入力されたか否かを判定し（Ｓ３１０）、「ＹＥＳ」の場合は、当該コマンドがエラー報知か変動パターン指令かを判定する（Ｓ３２０）。ここで「エラー」ならば、エラーの種類を特定し（Ｓ３３０）、エラー報知を行って処理を終了する（Ｓ３４０）。一方、エラー報知でなく、「変動パターン指令コマンド」であるなら、変動パターン指令コマンドによって特定される変動パターン毎に複数用意されている演出パターンの中から抽選を行って一つの演出パターンを決定し（Ｓ３５０）、対応する演出制御データをＲＯＭから読み出し（Ｓ３６０）、演出表示制御基板３７０、発光装置ＬＥＤ等に対して制御データを出力する（Ｓ３７０）。
［７  主制御基板等の配線］
【００４８】
図７に示す様に、主制御基板３１０、統括制御基板３２０、払出制御基板３３０、発射制御基板３４０、インタフェース基板３５０、電源基板３６０、演出表示制御基板３７０及び電源中継基板３８０は、パチンコ機中枠Ｂに嵌め込まれた機構板５００の背面側に設置され、それぞれ基板ケース５１０，５２０，５３０，５４０，５５０，５６０，５７０，５８０で覆うように収納されている。
【００４９】
主制御基板３１０を収納した基板ケース（主基板ケース）５１０には、統括制御基板３２０、払出制御基板３３０、発射制御基板３４０、及び電源中継基板３８０に対してハーネスＨＮ１〜ＨＮ４を接続するためのソケットを背面側に臨ませるソケット開口５１１〜５１４が形成されると共に、これらのソケット開口５１１〜５１４から統括制御基板３２０、払出制御基板３３０、発射制御基板３４０、及び電源中継基板３８０に対してハーネスＨＮ１〜ＨＮ４を配線するためのハーネスダクトＨＤ１１〜ＨＤ１４が、背面側に突出する様に形成されている。
【００５０】
統括制御基板３２０を収納した基板ケース（統括基板ケース）５２０には、主制御基板３１０及び演出表示制御基板３７０に対してハーネスＨＮ１，ＨＮ５を接続するためのソケットを背面側に臨ませるソケット開口５２１，５２２が形成されると共に、主制御基板３１０との接続用のソケット開口５２１から主制御基板３１０に対してハーネスＨＮ１を配線するためのハーネスダクトＨＤ２１が、背面側に突出する様に形成されている。
【００５１】
払出制御基板３３０、及び発射制御基板３４０の基板ケース５３０，５４０には、主制御基板３１０に対してハーネスＨＮ２，ＨＮ３を接続するためのソケットを背面側に臨ませるソケット開口５３１，５４１が形成されると共に、これらのソケット開口５３１，５４１から主制御基板３１０に対してハーネスＨＮ２，ＨＮ３を配線するためのハーネスダクトＨＤ３１，ＨＤ４１が、背面側に突出する様に形成されている。
【００５２】
演出表示制御基板３７０の基板ケース５７０には、統括制御基板３２０に対してハーネスＨＮ５を接続するためのソケットを背面側に臨ませるソケット開口５７１が形成されている。なお、電源中継基板３８０の基板ケース５８０には、主制御基板３１０との間を接続するハーネスＨＮ４のためのソケット開口３８１と、電源基板３６０との間を接続するハーネスＨＮ６のためのソケット開口３８２が形成されている。そして、電源基板３６０の基板ケース５６０には、電源中継基板３８０との間を接続するハーネスＨＮ６のためのソケット開口５６１が形成されている。さらに、払出制御基板３３０の基板ケース５３０には、インタフェース基板３５０との間を接続するハーネスＨＮ７のためのソケット開口５３２も形成されていて、インタフェース基板３５０の基板ケース５５０には、払出制御基板３３０との間を接続するハーネスＨＮ７のためのソケット開口５５１とハーネスダクトＨＤ５１が形成されている。
【００５３】
主基板ケース５１０の背面側に形成されるハーネスダクトＨＤ１１〜ＨＤ１４は、図８に示す様に、ケース体と一体成形された二条の外向きリブ６１１，６１２によって構成された凹溝６１０と、この凹溝６１０の外向き開口６１３を塞ぐ様に嵌め殺し状態に固着される封止カバー６２０とによって構成されている。
【００５４】
外向きリブ６１１，６１２の内壁側の高さ方向中間位置には、図８（Ａ），（Ｂ）に示す様に、嵌合溝６１１ａ，６１２ａが全長に渡って形成されている。外向きリブ６１１，６１２は、ソケット近傍から主基板ケースの縁までの範囲に渡っていて途中で屈曲したものとなっていて（図７参照）、互いに平行であって間にハーネスＨＮ１〜ＨＮ４を収納可能な間隔となる様に主基板ケース５１０の背面に一体成形されている。
【００５５】
封止カバー６２０は、図８（Ａ），（Ｂ）に示す様に、外向きリブ６１１，６１２の外面間隔と同一幅で、外向きリブ６１１，６１２と対応する屈曲形状を有していて両端が若干長くされた本体プレート６２１と、この本体プレート６２１の側縁から外向きリブ６１１，６１２の厚さ分だけ内側に入り込んた位置に外向きリブ６１１，６１２に沿う様に突設された二条の平行な脚プレート６２２，６２３とを備えている。この脚プレート６２２，６２３は、外向きリブ６１１，６１２の全長よりも若干短くされ、下端外側には、外向きリブ６１１，６１２の嵌合溝６１１ａ，６１２ａと嵌め殺し状態に嵌合し得る突条６２２ａ，６２３ａが突設形成されている。また、脚プレート６２２，６２３の高さは、突条６２２ａ，６２３ａを外向きリブ６１１，６１２の嵌合溝６１１ａ，６１２ａに嵌合させたときに、本体プレート６２１の下面６２１ａが外向きリブ６１１，６１２の頂点に当接する高さとされている。
【００５６】
また、封止カバー６２０の長手方向の両端には、図８（Ｃ），（Ｄ）に示す様に、下向き鍔６２４が形成されている。この下向き鍔６２４は、本体プレート６２１が外向きリブ６１１，６１２の頂点に当接したときに主基板ケース５１０との間にハーネスＨＮ１〜ＨＮ４が通過し得る隙間が形成される高さとされている。
【００５７】
これら主基板ケース５１０及び封止カバー６２０はいずれも透明な合成樹脂射出成形品によって構成されている。そして、図８（Ｅ），（Ｆ）に示す様に、封止カバー６２０の本体プレート６２１の端部近傍に照合情報ＩＤ１が付されている。この照合情報ＩＤ１は、ハーネスダクトＨＤ１１〜ＨＤ１４の位置に対応するものであって、同じ内容の識別情報ＩＤ２が、収納されるべきハーネスＨＮ１〜ＨＮ４の主基板側端部の近傍にも付されている。これら照合情報ＩＤ１，識別情報ＩＤ２は、対象物に対して直接印刷されていてもよいし、シールを貼ったものであってもよい。封止カバー６２０側の照合情報ＩＤ１は、成形時に凹凸として付される様な刻印タイプとするとよい。
【００５８】
統括制御基板３２０、払出制御基板３３０、発射制御基板３４０、及びインタフェース基板３５０の基板ケース５２０，５３０，５４０，５５０に形成されるハーネスダクトＨＤ２１〜ＨＤ５１も、上述の主基板ケース５１０に形成されるハーネスダクトＨＤ１１〜ＨＤ１４と同様の構成からなっている。
【００５９】
実施例１によれば、主制御基板３１０への配線をハーネスダクトＨＤ１１〜ＨＤ１４を介して敷設し、ハーネスダクトＨＤ１１〜ＨＤ１４は封止カバー６２０を外向きリブ６１１，６１２に対して嵌め殺しとなる様に構成したので、封止カバー６２０を破壊しない限りハーネスを不正なものに取り替えることができない。言い換えれば、不正なハーネスへの取り替えが行われたか否かを封止カバー６２０に対する破壊の痕跡から認識することができる。また、主制御基板３１０を収納した主基板ケース５１０の外面に配線敷設経路を形成する様にハーネスダクトＨＤ１１〜ＨＤ１４を備えさせたので、ハーネスを敷設する際の目印ともなり結線作業が容易になるというメリットも発揮される。
【００６０】
また、本実施例では、ハーネスダクトＨＤ１１〜ＨＤ１４を敷設する凹溝６１０を、主基板ケース５１０と一体成形された外向きリブ６１１，６１２で構成したので、さらに、破壊等の不正行為を行い難いというメリットがある。
【００６１】
また、嵌合溝６１１ａ，６１２ａは、外向きリブ６１１，６１２の全長に渡る溝として備える構成を採用したので、射出成形で一体成形する際の金型構造を単純化できるという利点がある。そして、封止カバー６２０の両端に下向き鍔６２４を備えさせているので、外向きリブ６１１，６１２の全長に渡る嵌合溝６１１ａ，６１２ａを備えさせてあっても、嵌め殺しとした封止カバー６２０を嵌合溝６１１ａ，６１２ａに沿ってずらす行為も阻止することができる。これにより、統括制御基板３２０、払出制御基板３３０、及び発射制御基板３４０の基板ケース５２０，５３０，５４０に対して備えさせた様な直線形状のハーネスダクトＨＤ２１，ＨＤ３１，ＨＤ４１において、配線敷設方向に封止カバー６２０をスライドさせて抜き取る様な行為も防止できている。
【００６２】
なお、主基板ケース５１０に形成したハーネスダクトＨＤ１１〜ＨＤ１４は、図７に示す様に途中で屈曲させることによっても封止カバー６２０に対するスライド抜き取り行為を防止する効果を発揮させている。
【００６３】
さらに、実施例１においては、封止カバー６２０が透明合成樹脂製であるから、ハーネスダクトＨＤ１１〜ＨＤ１４の内部の状態を容易に目視確認することができる。これにより、正規のハーネスであるか否かを確認できるだけでなく、ハーネスダクトを備えたが故に何らかの異物等を隠されたりしていないかといったことも容易に目視確認することができる。
【００６４】
加えて、ハーネスダクトＨＤ１１〜ＨＤ１４には、当該ハーネスダクト内に敷設されるべきハーネスＨＮ１〜ＨＮ４に付される識別情報ＩＤ２に対応する照合情報ＩＤ１が付されているから、ハーネスダクトＨＤ１１〜ＨＤ１４の内部に正しいハーネスＨＮ１〜ＨＮ４が収納されているか否かを透明な封止カバー６２０を介して容易に確認することができ、不正な配線への取り替えが行われている場合には、これを直ちに発見することができる。また、ハーネスダクトＨＤ１１〜ＨＤ１４は、ハーネスＨＮ１〜ＨＮ４を敷設する際の目印ともなり結線作業が容易になり、識別情報ＩＤ２と照合情報ＩＤ１の対応関係を容易に確認することができるから、結線作業時のミスをも防止することができる。本実施例は、照合情報ＩＤ１を識別情報ＩＤ２と同一内容としてあるので、確認作業が一層容易なものとなっている。
【００６５】
また、本実施例では、照合情報ＩＤ１を、ハーネスダクトＨＤ１１〜ＨＤ１４内にハーネスＨＮ１〜ＨＮ４を敷設したとき、当該ハーネスに付される識別情報ＩＤ２の近傍に位置する様に付されているから、ハーネスが正規品であるか否かの確認がさらに容易なものとなっている。
【００６６】
さらに、照合情報ＩＤ１がハーネスダクトＨＤ１１〜ＨＤ１４の主制御基板３１０側の端部の近傍位置に付され、識別情報ＩＤ２がハーネスＨＮ１〜ＨＮ４の主制御基板３１０への接続用コネクタ側に付されているので、主制御基板３１０へのコネクタが正しく接続されているか否かについても同時に確認する作業を容易に実行することができる。
【実施例２】
【００６７】
次に、実施例２について説明する。実施例２は、図９に示す様に、主基板ケース５１０と他の基板ケース５２０等との間に跨る様にハーネスダクトＨＤ１１１〜ＨＤ１１４を備えさてその中にハーネスＨＮ１〜ＨＮ４を収納すると共に、統括制御基板３２０と演出表示制御基板３７０とを接続するハーネスＨＮ５についても基板ケース５２０，５７０間を跨ぐ様に設置したハーネスダクトＨＤ１１５の中に収納する様に構成すると共に、電源基板３６０と電源中継基板３８０とを接続するハーネスＨＮ６、払出制御基板３３０とインタフェース基板３５０とを接続するハーネスＨＮ７も、それぞれ基板ケース間を跨ぐ様に設置したハーネスダクトＨＤ１１６，ＨＤ１１７の中に収納する構成としている。
【００６８】
各ハーネスダクトＨＤ１１１〜ＨＤ１１７は、図１０に示す様に、基板ケース５１０〜５７０及び機構板５００に対して嵌め殺し状態に固着される溝型ベース部材７１０と、その封止カバー７２０とによって構成されている。
【００６９】
本溝型ベース部材７１０は、断面上向きコの字状となる様に、底板部７１１、側壁部７１２，７１３を備え、側壁部７１２，７１３の間がハーネスＨＮ１〜ＨＮ７を収納できる幅及び深さを有する凹溝７１４となっている。そして、底板部７１１の下面から下方に突出する鏃形突起７１５が長さ方向に所定間隔で突出形成されている。また、側壁部７１２，７１３の内側には嵌合溝７１２ａ，７１３ａが全長に渡って形成されている。
【００７０】
基板ケース５１０〜５７０及び機構板５００には、溝型ベース部材７１０の鏃形突起７１５と嵌合する形状の鏃形嵌合部７３０が所定位置に形成させている。本実施例においては、図１０（Ａ）→（Ｂ）に示す様に、基板ケース５１０等とは別体に形成されている溝型ベース部材７１０を、その鏃形突起７１５を、基板ケース５１０等に形成された鏃形嵌合部７３０に対して嵌合させる様に取り付ける。鏃形突起７１５と鏃形嵌合部７３０は返しが付いているから、一旦、嵌合させたら嵌め殺しの状態となる。
【００７１】
封止カバー７２０は、実施例１と同じく、溝型ベース部材７１０の側壁７１２，７１３の外面間隔と同一幅で、溝型ベース部材７１０と対応する形状を有していて両端が若干長くされた本体プレート７２１と、この本体プレート７２１の側縁から溝型ベース部材７１０の側壁７１２，７１３の厚さ分だけ内側に入り込んた位置に側壁７１２，７１３に沿う様に突設された二条の平行な脚プレート７２２，７２３とを備えている。この脚プレート７２２，７２３は、側壁７１２，７１３の全長よりも若干短くされ、下端外側には、側壁７１２，７１３の嵌合溝７１２ａ，７１３ａと嵌め殺し状態に嵌合し得る突条７２２ａ，７２３ａが突設形成されている。また、脚プレート７２２，７２３の高さは、突条７２２ａ，７２３ａを側壁７１２，７１３の嵌合溝７１２ａ，７１３ａに嵌合させたときに、本体プレート７２１の下面７２１ａが側壁７１２，７１３の頂点に当接する高さとされている。
【００７２】
実施例２においても、主制御基板３１０への配線をハーネスダクトＨＤ１１１〜ＨＤ１１７を介して敷設し、ハーネスダクトＨＤ１１１〜ＨＤ１１７は封止カバー７２０を溝型ベース部材７１０に対して嵌め殺しとなる様に構成し、この溝型ベース部材７１０が基板ケース５１０等に対して嵌め殺しとなる様に取り付けられる構成を採用したので、実施例１と同様に、ハーネスを不正なものに取り替えることができない。
【００７３】
なお、実施例２は、基板ケース上だけでなく、基板ケース間を渡る部分にもハーネスダクトを設けるのに適した構成となっていて、基板ケース間を跨ぐ様にハーネスダクトを形成することにより、ハーネス敷設作業をより容易かつ誤りのない作業とすることができる利点もある。
【実施例３】
【００７４】
次に、実施例３について説明する。実施例３は実施例１の変形例に相当し、図１１に示す様に、ハーネスダクトＨＤ１１〜ＨＤ１４内に収納されるハーネスＨＮ１〜ＨＮ４の端部に取り付けられるコネクタとして、主制御基板側のソケットとの接続部位８０１をカバー体８００で覆う様にしたものである。このカバー体８００は、下カバー８１０と上カバー８２０とから構成されている。
【００７５】
下カバー８１０は、底面部８１１、後壁部８１２及び側壁部８１３，８１４で囲まれると共に上方と前方とが解放された空間部８１５を備える。後壁部８１２には、上方からハーネスＨＮ１〜ＨＮ５を挿入することのできる切り欠き部８１６が形成されている。また、側壁部８１３，８１４の内面には、上端から各二条の垂直溝８１３ａ，８１３ａ，８１４ａ，８１４ａが形成されている。この垂直溝８１３ａ，８１４ａは、図１１（Ｂ）に示す様に、内面側に嵌合凹部８１３ｂ，８１４ｂを備えた断面形状となっている。
【００７６】
上カバー８２０は、下カバー８１０の上面と一致する外形のプレート部８２１と、このプレート部８２１の下面側において下カバー８１０の垂直溝８１３ａ，８１４ａに嵌り込む４本の脚部８２２，８２２，８２３，８２３が突設されている。この脚部８２２，８２３の下端外側には、垂直溝８１３ａ，８１４ａの嵌合凹部８１３ｂ，８１４ｂと嵌合する外向きの凸部８２２ａ，８２３ａが形成されている。この脚部８２２，８２３の高さは、凸部８２２ａ，８２３ａを嵌合凹部８１３ｂ，８１４ｂに嵌合させたときに、プレート部８２１の下面８２１ａが下カバー８１０の上面に当接する高さとされている。
【００７７】
上カバー８２０には、プレート部８２１の上面側に、前端リブ８２５と、この前端リブ８２５の左右両端背面に連続して後端に向かって高さが低くなる三角形状リブ８２６，８２６とが突設されている。
【００７８】
本実施例においては、ハーネスＨＮ１〜ＨＮ４の主制御基板側は、接続部位８０１を覆い隠す様に組み立て式のカバー体８００が取り付けられる。このカバー体８００は下カバー８１０と上カバー８２０が嵌め殺しとなっているから、破壊しない限りは取り外すことができない。また、このカバー体８００の幅は、図１１（Ｄ）に示す様に、ハーネスダクトＨＤ１１〜ＨＤ１５の溝幅よりも十分に大きくされている。この結果、ハーネスの抜き取りを防止する効果を発揮する。
【００７９】
また、カバー体８００の上面のリブ８２５により、カバー体８００の上面８００ａと先端面８００ｂとの間にラビリンス構造（図示二点鎖線参照）が形成され、主制御基板３１０への接続部位８０１に対して針金等を挿入して接続を解除したり、異物を挟み込んだりするといった不正行為をも防止できる。
【実施例４】
【００８０】
次に、実施例４について説明する。実施例４は、実施例２の変形例であり、図１２に示す様に、ハーネスダクトＨＤ１１１〜ＨＤ１１７の両端に照合情報ＩＤ１ａ，ＩＤ１ｂを付すと共に、各ハーネスダクトＨＤ１１１〜ＨＤ１１７に収納されるべきハーネスＨＮ１〜ＨＮ７の両端にも識別情報ＩＤ２ａ，ＩＤ２ｂを付したものである。ハーネスダクトＨＤ１１１〜ＨＤ１１７の構造は、実施例２と同様であって、封止カバーは透明合成樹脂製である。
【００８１】
この実施例では、識別情報が一つのハーネスに対し複数箇所に付され、照合情報も当該ハーネスを収納するハーネスダクトの複数箇所に付されているから、複数箇所の全てにおいて識別情報と照合情報が対応している場合に正規のハーネスと確認することができ、不正なハーネスへの取り替えをより困難にする。
【００８２】
また、図１２に示した様に、識別情報及び照合情報は、それらが付される箇所により情報の内容を異ならせているから、より一層、不正なハーネスへの取り替えを困難にする共に、ハーネスの接続方向を間違えない様に配線する作業を容易に実現可能としてもいる。
【実施例５】
【００８３】
次に、実施例５について説明する。実施例５は、実施例１の変形例であり、図１３に示す様に、主制御基板５１０の背面に外向きリブと封止カバーとで形成したハーネスダクトＨＤ１２１〜ＨＤ１２４の主制御基板側の端部にソケットカバー部ＳＣ１２１〜ＳＣ１２４が備えられたものである。このソケットカバー部ＳＣ１２１〜ＳＣ１２４は、封止カバーの端部形状を図示の様にソケット開口５１１〜５１４を覆う様に延長することによって構成することができる。
【００８４】
封止カバーがソケットカバー部ＳＣ１２１〜ＳＣ１２４を備え、封止カバーを凹溝形成部材（外向きリブ、溝型ベース部材など）に嵌め殺しすることにより、ハーネスダクトＨＤ１２１〜ＨＤ１２４内のハーネスＨＮ１〜ＨＮ４を取り換えることができなくなると同時にソケットからハーネスを取り外すこともできなくなる。これにより、ソケットから正規の配線を外して他の配線を接続することもできなくなる。
【００８５】
これら各実施例は、実施例１において詳しく述べた様に、賞球の払い出しや抽選遊技における大当たりか否かの判定、さらには、カード式記憶媒体への残度数や貯玉に関する情報の書き込みに関係する主制御基板３１０に対してハーネスの取り替えによる不正を的確に防止することができる。
【００８６】
以上、発明を実施するための実施例を説明したが、本発明は、これらに限定されるものではなく、その要旨を逸脱しない範囲内における種々の変更が可能である。
【００８７】
例えば、統括制御基板３２０と演出表示制御基板３７０を別体とせずに、一体とした遊技機であっても構わないし、識別情報及び照合情報を複数箇所に備えた実施例４において、記載内容を異ならせる以外に、ある箇所はレーザーマーキングで情報を付し、別の場所は刻印で情報を付すなど、情報の付し方を異ならせる様にしてもよい。
【００８８】
また、外向きリブの嵌合溝をリブの両端では閉じた溝としたり、全長に渡って連続する溝ではなく途中で切れた飛び飛びの溝として封止カバーのスライドを阻止する構成としても構わない。
【００８９】
さらに、嵌め殺しのハーネスダクトは、主制御基板３１０の基板ケース５１０にだけ備える構成としてもよい。
【００９０】
加えて、主制御基板３１０と、統括制御基板３２０等との接続を、それぞれ中継基板を介在させる構成においては、主制御基板３１０とこれら中継基板との間を接続するハーネスを実施例１，２等に示した様なハーネスダクトに収納する構成としておくとよい。
【産業上の利用可能性】
【００９１】
本発明はパチンコ機やスロットマシンなどの遊技機において利用することができる。
【符号の説明】
【００９２】
３１０・・・主制御基板、３２０・・・統括制御基板、３３０・・・払出制御基板、３４０・・・発射制御基板、３５０・・・インタフェース基板、３６０・・・電源基板、３７０・・・演出表示制御基板、３８０・・・電源中継基板、４００・・・ホールコンピュータ、５００・・・機構板、５１０，５２０，５３０，５４０，５５０，５６０，５７０・・・基板ケース、５１１〜５１５、５２１，５２２、５３１〜５６１、５７１・・・ソケット開口、６１０・・・凹溝、６１１，６１２・・・外向きリブ、６１１ａ，６１２ａ・・・嵌合溝、６１３・・・外向き開口、６２０・・・封止カバー、６２１・・・本体プレート、６２１ａ・・・下面、６２２，６２３・・・脚プレート、６２２ａ，６２３ａ・・・突条、６２４・・・下向き鍔、７１０・・・溝型ベース部材、７１１・・・底板部、７１２，７１３・・・側壁部、７１２ａ，７１３ａ・・・嵌合溝、７１４・・・凹溝、７１５・・・鏃形突起、７２０・・・封止カバー、７２１・・・本体プレート、７２１ａ・・・下面、７２２，７２３・・・脚プレート、７２２ａ，７２３ａ・・・突条、７３０・・・鏃形嵌合部、８００・・・カバー体、８００ａ・・・上面、８００ｂ・・・先端面、８０１・・・接続部位、８１０・・・下カバー、８１１・・・底面部、８１２・・・後壁部、８１３，８１４・・・側壁部、８１３ａ，８１４ａ・・・垂直溝、８１３ｂ，８１４ｂ・・・嵌合凹部、８１５・・・空間部、８１６・・・切り欠き部、８２０・・・上カバー、８２１・・・プレート部、８２１ａ・・・下面、８２２，８２３・・・脚部、８２２ａ，８２３ａ・・・凸部、８２５・・・前端リブ、８２６・・・三角形状リブ、Ｐ・・・パチンコ遊技機、Ａ・・・外枠、Ｂ・・・中枠、Ｃ・・・遊技盤、Ｄ・・・前枠Ｄ、Ｅ・・・上の球受け皿、Ｆ・・・下の球受け皿、Ｇ・・・発射装置、Ｈ・・・施錠装置、ＨＤ１１〜ＨＤ１４、ＨＤ２１〜ＨＤ５１、ＨＤ１１１〜ＨＤ１１７、ＨＤ１２１〜ＨＤ１２４・・・ハーネスダクト、ＨＮ１〜ＨＮ６・・・ハーネス、ＩＤ１，ＩＤ１ａ，ＩＤ１ｂ・・・照合情報、ＩＤ２，ＩＤ２ａ，ＩＤ２ｂ・・・識別情報、ＬＣＤ・・・液晶表示装置、ＬＥＤ・・・発光装置、ＭＴ・・・モータ、Ｑ・・・貸し玉ボタン、Ｒ・・・カード取り出しボタン、Ｓ・・・演出操作ボタン、ＳＣ１２１〜ＳＣ１２４・・・ソケットカバー部、ＳＥ１〜ＳＥ７・・・入賞検知センサ、ＳＥ１１〜ＳＥ１３・・・排出球検知センサ、ＳＯＬ・・・ソレノイド、ＳＰ・・・スピーカ。
【図１】
2014176417.tif 000003
【図２】
2014176417.tif 000004
【図３】
2014176417.tif 000005
【図４】
2014176417.tif 000006
【図５】
2014176417.tif 000007
【図６】
2014176417.tif 000008
【図７】
2014176417.tif 000009
【図８】
2014176417.tif 000010
【図９】
2014176417.tif 000011
【図１０】
2014176417.tif 000012
【図１１】
2014176417.tif 000013
【図１２】
2014176417.tif 000014
【図１３】
2014176417.tif 000015